(57)【要約】【課題】鶏卵選別装置の生産計画支援装置、これを利用した製品の生産方法およびプログラムを提供する。【解決手段】演算部３５と、表示部２２とを備える。演算部３５は、複数の製品に関するオーダーが入力されたオーダーデータに基づいて、鶏卵選別装置１０での卵Ｅの選別処理を計画する。表示部２２は、原卵計画情報２３、分配計画情報２４、関係情報２５のうち少なくとも１つを表示する。原卵計画情報２３は、演算部３５で計画された鶏卵選別装置１０の原卵供給部１１に供給する原卵Ｅに関する。分配計画情報２４は、演算部３５で計画された鶏卵選別装置１０の分配部１４でサイズ別に分けられる卵Ｅに関する。関係情報２５は、演算部３５で計画された鶏卵選別装置１０の選別処理とオーダーとの関係を示す。【選択図】図２
2020140543.tif 000002
【特許請求の範囲】
【請求項１】
複数の製品に関するオーダーが入力されたオーダーデータに基づいて、鶏卵選別装置での卵の選別処理を計画する演算部と、
演算部で計画された鶏卵選別装置の原卵供給部に供給する原卵に関する原卵計画情報、
演算部で計画された鶏卵選別装置の分配部でサイズ別に分けられる卵に関する分配計画情報、または
演算部で計画された鶏卵選別装置の選別処理とオーダーとの関係を示す関係情報のうちの少なくとも１つを表示する表示部とを備える鶏卵選別装置の生産計画支援装置。
【請求項２】
前記表示部は、前記関係情報として、オーダーに対応する製品が割り当てられている状態、オーダーに対応する製品が割り当てられていない状態、オーダーの要求に応えられている状態、または、オーダーの要求に応えられていない状態のうち少なくとも１つを表示する請求項１記載の鶏卵選別装置の生産計画支援装置。
【請求項３】
前記表示部は、前記原卵計画情報と前記分配計画情報とが、時系列で並べて表示されている請求項１または２記載の鶏卵選別装置の生産計画支援装置。
【請求項４】
前記原卵計画情報または前記分配計画情報の各項目に対する変更を行う入力部を備え、
前記演算部は、前記入力部で入力された変更情報に基づいて再計算を行う請求項１、２または３記載の鶏卵選別装置の生産計画支援装置。
【請求項５】
前記表示部は、オーダーデータが複数の納品先ごとに表示されたオーダー情報と前記分配計画情報とが並べて表示されている請求項１、２、３または４記載の鶏卵選別装置の生産計画支援装置。
【請求項６】
請求項１〜５のいずれか一つに記載の鶏卵選別装置の生産計画支援装置を利用した製品の生産方法。
【請求項７】
請求項１〜５のいずれか一つの記載の各部をコンピュータに実現させるための鶏卵選別装置の生産計画支援プログラム。
【発明の詳細な説明】
【技術分野】
【０００１】
本発明は、鶏卵選別装置の生産計画支援装置、鶏卵選別装置の生産計画支援装置を利用した製品の生産方法、および、鶏卵選別装置の生産計画支援プログラムに関するものである。
【背景技術】
【０００２】
鶏卵選別装置は、ＧＰセンター等に設置され、複数の養鶏場から搬入された原卵をサイズ別に選別して包装する（特許文献１を参照）。パック詰めされた製品は、スーパーマーケット等に納品するためにその日のうちに出荷される。原卵は、養鶏場別に保管されており、養鶏場ごとの原卵が鶏卵選別装置に運ばれて選別され、スーパーマーケット等のオーダーに応じた製品が集められる。
【０００３】
各オーダーは、サイズが区々であり、出荷時間も区々である。そのため、出荷を停滞させることなく円滑に行えるように、どの養鶏場の原卵をどの順番で流すかがＧＰセンターの生産計画として重要になる。従来、このような生産計画を支援する装置は存在しない。
【先行技術文献】
【特許文献】
【０００４】
【特許文献１】特開２００５−１１１４２７号公報
【発明の概要】
【発明が解決しようとする課題】
【０００５】
本発明は、鶏卵選別装置の生産計画支援装置、鶏卵選別装置の生産計画支援装置を利用した製品の生産方法、および、鶏卵選別装置の生産計画支援プログラムを提供する。
【課題を解決するための手段】
【０００６】
本発明の鶏卵選別装置の生産計画支援装置は、演算部と、表示部とを備える。演算部は、複数の製品に関するオーダーが入力されたオーダーデータに基づいて、鶏卵選別装置での卵の選別処理を計画する。表示部は、原卵計画情報、分配計画情報、関係情報のうちの少なくとも１つを表示する。原卵計画情報は、演算部で計画された鶏卵選別装置の原卵供給部に供給する原卵に関する情報である。分配計画情報は、演算部で計画された鶏卵選別装置の分配部でサイズ別に分けられる卵に関する情報である。関係情報は、演算部で計画された鶏卵選別装置の選別処理とオーダーとの関係を示す情報である。
【発明の効果】
【０００７】
本発明によれば、鶏卵選別装置の生産計画支援装置、鶏卵選別装置の生産計画支援装置を利用した製品の生産方法、および、鶏卵選別装置の生産計画支援プログラムを提供できる。
【０００８】
この発明の上記および他の目的、特徴、局面および利点は、添付の図面と関連して理解されるこの発明に関する次の詳細な説明から明らかとなるであろう。
【図面の簡単な説明】
【０００９】
【図１】本発明の一実施形態の鶏卵選別装置を示す図である。
【図２】同実施形態の鶏卵選別装置の生産計画支援装置の構成例を示すブロック図である。
【図３】同実施形態のオーダーデータを含むテーブルの一例を示す図である。
【図４】同実施形態の原卵データを含むテーブルの一例を示す図である。
【図５】同実施形態の原卵データを含むテーブルの一例を示す図である。
【図６】同実施形態の鶏卵選別装置の生産計画支援装置の表示部の具体的な一例を示す図である。
【発明を実施するための形態】
【００１０】
以下、本発明の一実施形態について、図１〜図６を参照して説明する。本実施形態にかかる鶏卵選別装置の生産計画支援装置１は、鶏卵Ｅをサイズ別に選別する鶏卵選別装置１０を使って卵Ｅの選別処理を計画する際に用いられる。本実施形態では、２台の鶏卵選別装置１０について、１つの鶏卵選別装置の生産計画支援装置１で選別計画を立てる場合について説明するが、鶏卵選別装置１０の台数は２台に限られない。図１では、２台のうちの一方の鶏卵選別装置１０を示す。
【００１１】
鶏卵選別装置１０は、図１に示すように、原卵供給部１１と、検査部１２と、計量部１３と、分配部１４とを備える。原卵供給部１１は、選別処理がなされる前の原卵Ｅが供給される。原卵供給部１１は、トレイに入った卵Ｅを搬送装置上へ移し換える移載装置を備える。検査部１２は、卵Ｅの表面または内部に異常（ヒビ、汚れ、血などの混入）がないか否かを検査する。計量部１３は、卵Ｅの重量を計測する。分配部１４は、計測された卵Ｅの重量に基づいて、卵Ｅのサイズ別に分ける。分配部１４は、検査された卵Ｅの状態に基づいて、卵Ｅの異常別に分ける。選別された卵Ｅは、分配部１４で複数種類に分けられ、それぞれ容器に収容される。
【００１２】
図２に示す例では、サーバ３１及びユーザ端末２がネットワークを介して通信可能となっている。符号３は処理装置である。処理装置３は、サーバ３１と、オーダーデータの記録部３２と、原卵データの記録部３３とを備える。サーバ３１は、オーダーデータの記録部３２および原卵データの記録部３３にアクセス可能である。サーバ３１は、入出力部３４と、演算部３５と、オーダーデータ取得部３６と、原卵データ取得部３７とを備える。
【００１３】
図３に示すように、オーダーデータの記録部３２は、製品名と、納品先名と、数量と、出荷時刻とが対応付けて記憶されている。製品名は、製品の種類ごとに設定されている。なお、図示していないが、製品名は、例えば、ａたまごは１０個入りパック、ｇたまごは段ボール箱に収容される５４個入りトレイなど、１包装あたりの卵Ｅの個数が対応付けられて、予め設定され記録されている。納品先名は、例えばスーパーマーケットの名称やコードである。出荷時刻は、例えば１５時など、その製品を出荷状態にしておく最終期限である。オーダーデータの記録部３２は、例えば、サーバ３１からのアクセス可能な記録装置で構成できる。
【００１４】
図４に示すように、原卵データの記録部３３は、製品名と、養鶏場名と、サイズとが対応付けて記録されている。製品名は、製品の種類ごとに設定されている。養鶏場名は、一の製品を作るために使用可能な原卵Ｅの生産場所が、一つまたは複数対応付けて記録されている。なお、養鶏場名は、同じ養鶏場エリアにある異なる鶏舎をそれぞれ別々の養鶏場名としてもよい。サイズは、一の製品を作るために使用可能な卵Ｅのサイズが、一つまたは複数対応づけて記録されている。
【００１５】
図５に示すように、また、原卵データの記録部３３は、養鶏場名と、サイズ別の数量が対応付けて記録されている。サイズ別の数量は、鶏卵選別装置１０で過去に選別した際の実績値であり、直近の選別日の単一のデータまたは所定期間のデータの平均値である。サイズ別の数量は、全体に占める割合であってもよい。サイズ別の数量は、血卵の割合やひび卵の割合など、サイズ以外の情報を含んでもよい。原卵データの記録部３３は、例えば、サーバ３１からアクセス可能な記録装置で構成できる。
【００１６】
図２に示すように、演算部３５は、複数の製品に関するオーダーが入力されたオーダーデータに基づいて、鶏卵選別装置１０での卵Ｅの選別処理を計画する。演算部３５は、複数の納品先からのオーダーデータと、養鶏場別の原卵データとの最適マッチングを図る。
【００１７】
具体的には、演算部３５は、製品を生産するために最適な原卵Ｅの抽出を行う。また、演算部３５は、原卵Ｅを鶏卵選別装置１０に供給する開始時刻および終了時刻を算出する。また、演算部３５は、原卵Ｅを鶏卵選別装置１０に供給する数量を算出する。また、演算部３５は、原卵Ｅを鶏卵選別装置１０に供給する順番を決定する。また、演算部３５は、鶏卵選別装置１０で製品を生産する開始時刻および終了時刻をサイズ別に算出する。また、演算部３５は、鶏卵選別装置１０で製品を生産する数量をサイズ別に算出する。また、演算部３５は、鶏卵選別装置１０で製品を生産する順番を決定する。
【００１８】
ユーザ端末２は、ユーザからの入力の受付を行う入力部２１と、ユーザに対する表示を行う表示部２２とを有する。
【００１９】
入力部２１は、オーダーを受け付ける。また、入力部２１は、一旦演算された原卵計画情報２３または分配計画情報２４の各項目に対する変更を受け付ける。入力部２１が変更を受け付けると、演算部３５は、入力部２１で入力された変更情報に基づいて再計算を行う。変更情報は、例えば、原卵計画情報２３における原卵Ｅを鶏卵選別装置１０に供給する開始時刻、終了時刻、数量のうち少なくとも一つである。また、変更情報は、例えば、分配計画情報２４における鶏卵選別装置１０でサイズ別に製品を生産する開始時刻、終了時刻、数量のうち少なくとも一つである。
【００２０】
図６に示すように、表示部２２は、原卵計画情報２３、分配計画情報２４および関係情報２５を表示する。また、表示部２２は、オーダー情報２６を表示する。
【００２１】
原卵計画情報２３は、演算部３５で計画された鶏卵選別装置１０の原卵供給部１１に供給する原卵Ｅに関する情報である。原卵計画情報２３は、時系列で表示される。原卵計画情報２３は、２台の鶏卵選別装置１０について並べて表示されている。原卵計画情報２３は、演算部３５で算出された、原卵Ｅを鶏卵選別装置１０に供給する数量を表示する。また、原卵計画情報２３は、演算部３５で算出された、原卵Ｅを鶏卵選別装置１０に供給する開始時刻および終了時刻を表示する。例えば、符号Ｘ１は、養鶏場名が「兵庫農場」、個数が「65000個」、開始時刻が「9:55」、終了時刻が「11:42」である原卵計画情報２３が表示されている。
【００２２】
分配計画情報２４は、演算部３５で計画された鶏卵選別装置１０の分配部１４でサイズ別に分けられる卵Ｅに関する情報である。分配計画情報２４は、時系列で表示される。分配計画情報２４は、原卵計画情報２３とともに時系列で並べて表示されている。分配計画情報２４は、鶏卵選別装置１０の分配部１４で分けられる種類分だけ並べて表示されている。本実施形態では、サイズ別および検査結果に基づいて、図６中の「１−１」〜「１−８」に示すように、８種類に分配する。なお、分配計画情報２４で表示されるグラフの本数は、鶏卵選別装置１０の分配部１４の数に対応していればよく、８本に限られない。分配計画情報２４は、演算部３５で算出された、鶏卵選別装置１０で製品を生産するサイズ別の数量を表示する。また、分配計画情報２４は、演算部３５で算出された、鶏卵選別装置１０で製品を生産するサイズごとの開始時刻および終了時刻を表示する。例えば、符号Ｙ１は、製品名が「ａたまご」、サイズが「２Ｌ」、パック数が「500パック」、卵Ｅの個数が「5000個」、納品先名が「スーパーＡ」、出荷時刻が「15:00」、開始時刻が「9:55」、終了時刻が「11:42」である分配計画情報２４が表示されている。符号Ｚ１は、サイズが「ＭＳ」、パック数が「116パック」である分配計画情報２４が表示されている。
【００２３】
オーダー情報２６は、オーダーデータが複数の納品先ごとに表示される。オーダー情報２６は、分配計画情報２４と並べて表示されている。
【００２４】
関係情報２５は、演算部３５で計画された鶏卵選別装置１０の選別処理とオーダーとの関係を示す情報である。関係情報２５は、分配計画情報２４とともに表示される。また、関係情報２５は、オーダー情報２６とともに表示される。関係情報２５は、例えば、オーダーに対応する製品が割り当てられている状態、オーダーに対応する製品が割り当てられていない状態、オーダーの要求に応えられている状態、または、オーダーの要求に応えられていない状態を表示する。
【００２５】
関係情報２５は、オーダーに対応する製品が割り当てられている状態と、オーダーに対応する製品が割り当てられていない状態とが区別して表示される。「オーダーに対応する製品が割り当てられていない状態」とは、オーダーに対応する製品を生産するために特定の原卵Ｅを選別処理した際に、同時に生産される他のサイズの卵Ｅの中で、納品先が未定のものである。図６では、「オーダーに対応する製品が割り当てられている状態」は通常表示している。一方、「オーダーに対応する製品が割り当てられていない状態」を斜線で示している。
【００２６】
関係情報２５は、オーダーの要求に応えられている状態と、オーダーの要求に応えられていない状態とが区別して表示される。「オーダーの要求に応えられていない状態」とは、オーダーの出荷時刻までに選別処理が間に合わない、または、オーダーの数量に対して原卵Ｅの数量が不足しているものである。図６では、「オーダーの要求に応えられている状態」は通常表示している。一方、「オーダーの要求に応えられていない状態」を太い枠線で示している。また、関係情報２５は、例えば、オーダーデータに基づいて演算部３５で算出された製品の不足数である。
【００２７】
次に、演算部３５が行う鶏卵選別装置１０での生産計画の手順の一例について説明する。
【００２８】
演算部３５は、生産計画処理を実行する旨の情報を取得すると、まず、オーダーデータの記録部３２と原卵データの記録部３３とのデータを用いて、製品を生産するために最適な原卵Ｅの抽出を行う。演算部３５は、優先度の高い順（例えば、出荷時刻の早い順）にオーダーデータをソートする（Ｓ１）。各オーダーに対して当該製品を生産可能な原卵データを取得する（Ｓ２）。出来高比率（サイズ別の数量）に応じて、優先度の高い順（例えば、製品を多く生産できる順）に原卵データをソートする（Ｓ３）。
【００２９】
演算部３５は、Ｓ１でソートされたオーダーのうち、生産計画が未割り当てのオーダーで、最も優先度が高いものについて、Ｓ３で作成した原卵一覧を取得する（Ｓ４）。最も多く当該製品を生産できる養鶏場の原卵Ｅを用いて、原卵Ｅを鶏卵選別装置１０に供給する開始時刻および終了時刻と、数量を算出する（Ｓ５）。Ｓ５で原卵Ｅの数量が不足する場合には、他の養鶏場の原卵Ｅについて、原卵Ｅを鶏卵選別装置１０に供給する開始時刻および終了時刻と、数量を再計算する（Ｓ６）。Ｓ５またはＳ６で算出された結果に基づいて、選別計画（原卵Ｅを鶏卵選別装置１０に供給する開始時刻および終了時刻と、数量）を決定する（Ｓ７）。
【００３０】
演算部３５は、次に、選別計画に基づいて、生産計画を割り当てる（Ｓ８）。その後、原卵Ｅを鶏卵選別装置１０に供給した際に同時に生産される他のサイズで生成される比率を算出し（Ｓ９）、他の製品の生産計画を割り当てる（Ｓ１０）。
【００３１】
演算部３５は、全てのオーダーについて生産計画が割り当てられるまで、Ｓ４〜Ｓ１０を繰り返す。その後、オーダーに紐付かない余剰分（「オーダーに対応する製品が割り当てられていない状態」に対応）を算出する（Ｓ１１）。
【００３２】
演算部３５で算出された結果は、入出力部３４から出力され、表示部２２に表示される（Ｓ１２）。
【００３３】
なお、原卵計画情報２３または分配計画情報２４の各項目に対する変更がされた場合は、演算部３５は、入力部２１で入力された変更情報に基づいて再計算を行い、その後は、例えばＳ７〜Ｓ１２の処理を行う。例えば、変更情報として、原卵計画情報２３における原卵Ｅを鶏卵選別装置１０に供給する開始時刻、終了時刻、数量のうちいずれかが変更されると、分配計画情報２４における鶏卵選別装置１０でサイズ別に製品を生産する開始時刻、終了時刻、数量などが、原卵計画情報２３に連動して表示が切り替わる。また、変更情報として、例えば、分配計画情報２４における鶏卵選別装置１０でサイズ別に製品を生産する開始時刻、終了時刻、数量のうちいずれかが変更されると、原卵計画情報２３における原卵Ｅを鶏卵選別装置１０に供給する開始時刻、終了時刻、数量などが、分配計画情報２４に連動して表示が切り替わる。
【００３４】
さらに、原卵計画情報２３、分配計画情報２４が表示された状態で、割り込みのオーダー（例えば、製品の生産の開始時刻が指定されたオーダー）が入力される場合もある。この場合は、変更情報として、原卵計画情報２３における原卵Ｅを鶏卵選別装置１０に供給する開始時刻、または、分配計画情報２４における鶏卵選別装置１０でサイズ別に製品を生産する開始時刻が変更される一例として挙げられる。
【００３５】
以上説明したように、本実施形態の鶏卵選別装置の生産計画支援装置１は、演算部３５と、表示部２２とを備える。演算部３５は、複数の製品に関するオーダーが入力されたオーダーデータに基づいて、鶏卵選別装置１０での卵Ｅの選別処理を計画する。表示部２２は、原卵計画情報２３と、分配計画情報２４と、関係情報２５とを表示する。原卵計画情報２３は、演算部３５で計画された鶏卵選別装置１０の原卵供給部１１に供給する原卵Ｅに関する。分配計画情報２４は、演算部３５で計画された鶏卵選別装置１０の分配部１４でサイズ別に分けられる卵Ｅに関する。関係情報２５は、演算部３５で計画された鶏卵選別装置１０の選別処理とオーダーとの関係を示す。
【００３６】
表示部２２は、関係情報２５として、オーダーに対応する製品が割り当てられている状態と、オーダーに対応する製品が割り当てられていない状態と、オーダーの要求に応えられている状態と、オーダーの要求に応えられていない状態とを表示する。特に、表示部２２は、分配計画情報２４とオーダー情報２６に関連させて、これらの関連情報を表示している。また、表示部２２は、オーダーデータに基づいて演算部３５で算出された製品の不足数を関係情報２５として表示する。
【００３７】
表示部２２は、原卵計画情報２３と分配計画情報２４とが、時系列で並べて表示されている。また、表示部２２は、オーダー情報２６と分配計画情報２４とが並べて表示されている。
【００３８】
また、本実施形態の鶏卵選別装置の生産計画支援装置１は、原卵計画情報２３と分配計画情報２４の各項目に対する変更を行う入力部２１を備える。演算部３５は、入力部２１で入力された変更情報に基づいて再計算を行う。
【００３９】
なお、本発明は上述した実施形態に限られない。
【００４０】
上記鶏卵選別装置の生産計画支援装置１の動作方法や、鶏卵選別装置の生産計画支援装置１を利用した製品の生産方法も、本発明の実施の形態に含まれる。また、上記鶏卵選別装置の生産計画支援装置１の各部をコンピュータに実現させるための鶏卵選別装置の生産計画支援プログラム及び同プログラムを記録した記録媒体も、本発明の実施の形態に含まれる。
【００４１】
表示部２２は、原卵計画情報２３、分配計画情報２４、関係情報２５のうちいずれか１つを含むものであればよい。また、表示形式は、図で示したものに限られない。
【００４２】
表示部２２は、原卵計画情報２３、分配計画情報２４、関係情報２５のうちいずれか１つに加えて、消し込み情報を表示してもよい。この場合、サーバ３１は、鶏卵選別装置１０からの処理データを取得する処理データ取得部をさらに備える。サーバ３１は、鶏卵選別装置１０の制御部、または、処理データの記録部にアクセス可能である。処理データは、例えば、鶏卵選別装置１０でサイズ別に分配される卵の個数のリアルタイムな情報である。演算部３５は、取得された処理データに基づいて、表示部２２に表示されている原卵計画情報２３、分配計画情報２４、関係情報２５、オーダー情報２６の少なくとも一部を消し込む。原卵計画情報２３や分配計画情報２４は予定である一方、消し込み情報は、鶏卵選別装置１０での実績である。消し込み情報は、原卵計画情報２３、分配計画情報２４、関係情報２５、オーダー情報２６に重ねて表示してもよいし、並べて表示してもよい。
【００４３】
演算部３５と表示部２２とは、物理的に一体のコンピュータにより構成されたものであってもよいし、それぞれ物理的に別体をなすコンピュータにより構成されたものであってもよい。
【００４４】
処理装置３は、サーバ３１からアクセス可能な記録装置で構成されたグレーダデータの記録部を備えていてもよい。グレーダデータの記録部は、鶏卵選別装置１０の処理能力（例えば、１時間あたりの処理可能個数）、鶏卵選別装置１０の分配部１４の数、各分配部１４へのサイズ割り当てが記録されている。演算部３５は、オーダーデータと原卵データに加えて、グレーダデータを用いて鶏卵選別装置１０での卵Ｅの選別処理を計画してもよい。
【００４５】
オーダーデータは、少なくとも等級に関連付けられた製品名または等級と数量とを含むものであればよく、納品先名、出荷時刻等を含まなくてもよい。
【００４６】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００４７】
本発明は、鶏卵選別装置の生産計画支援装置に利用することができる。
【符号の説明】
【００４８】
１…鶏卵選別装置の生産計画支援装置
１０…鶏卵選別装置
１１…原卵供給部
２１…入力部
２２…表示部
２３…原卵計画情報
２４…分配計画情報
２５…関係情報
２６…オーダー情報
３５…演算部
【図１】
2020140543.tif 000003
【図２】
2020140543.tif 000004
【図３】
2020140543.tif 000005
【図４】
2020140543.tif 000006
【図５】
2020140543.tif 000007
【図６】
2020140543.tif 000008